【手続補正書】
【提出日】平成17年2月18日(2005.2.18)
【手続補正１】
【補正対象書類名】特許請求の範囲
【補正対象項目名】全文
【補正方法】変更
【補正の内容】
【特許請求の範囲】
【請求項１】
青色の光ビームを出射する青色レーザー光源と、
赤外の光ビームを出射する赤外レーザー光源と、
前記青色レーザー光源と前記赤外レーザー光源とから出射される光ビームを受けて光ディスクの記録面上へ微小スポットに集光する対物レンズと、
前記光ディスクの記録面上で反射した光ビームを受けてその光量に応じて電気信号を出力する光検出部を形成した光検出器とを具備し、
前記青色レーザー光源から出射される光ビームを前記対物レンズによって約０．１ｍｍあるいはより薄い基材を通して光ディスクの記録面上へ微小スポットに集光する光ヘッド装置において、
前記赤外レーザー光源と前記対物レンズとの間にはリレーレンズを配置し、
前記赤外レーザー光源から出射される前記赤外の光ビームは前記リレーレンズによって略収束された後に再度拡散しながら前記対物レンズに入射し、前記対物レンズによって約１．２ｍｍの基材を通して光ディスクの記録面上へ微小スポットに集光することを特徴とする光ヘッド装置。
【請求項２】
前記対物レンズは、ホログラムと屈折型レンズとからなる複合対物レンズであって、
前記ホログラムは、少なくとも内周部に形成された鋸歯状断面形状を有する格子を備え、前記鋸歯状断面形状の深さｈ１は、３９０ｎｍ〜４１５ｎｍの範囲内にある波長λ１を有する第一光ビームに対して約２波長の光路差を与えて＋２次回折光を発生させる深さであり、６３０ｎｍ〜６８０ｎｍの範囲内にある波長λ２を有する第二光ビームに対して＋１次回折光を発生させる深さである請求項１に記載の光ヘッド装置。
【請求項３】
前記リレーレンズは光軸から離れた外周部に球面収差を付加して構成し、前記球面収差によって、軸外収差を補正する請求項１又は２に記載の光ヘッド装置。
【請求項４】
前記リレーレンズと前記赤外の光ビームの発光点との間の距離よりも、前記リレーレンズと前記赤外の光ビームの発光点とは反対側の収束点との間の距離の方が短い請求項１又は２に記載の光ヘッド装置。
【請求項５】
前記リレーレンズと前記対物レンズの間に、前記赤外の光ビームと、より短波長の光ビームとを分離するダイクロイック素子をさらに具備する請求項１又は２に記載の光ヘッド装置。
【請求項６】
前記リレーレンズと前記対物レンズとの間に配置する前記ダイクロイック素子に設けられた平行平板の表面には、前記赤外の光ビームと、より短波長の光ビームとを分離するダイクロイック膜が形成されている請求項５に記載の光ヘッド装置。
【請求項７】
前記平行平板の厚みは、１ｍｍ以下である請求項６に記載の光ヘッド装置。
【請求項８】
前記ダイクロイック素子は、前記青色の光ビームが略平行光束となる位置に配置される請求項５に記載の光ヘッド装置。
【請求項９】
前記第一光ビームを基材厚が０．１ｍｍ以下（ｔ１）の基材を通して集光する場合に、前記ホログラムによって凸レンズ作用を受けるように、前記ホログラムを凸レンズ型にすることによって、前記波長λ１が数ｎｍ程度変化した場合の焦点距離の変化を低減する請求項２に記載の光ヘッド装置。
【請求項１０】
前記第一光ビームの＋２次回折光は、基材厚がｔ１の基材を通して集光され、前記ホログラムの内周部分を通る前記第二光ビームの＋１次回折光は、基材厚がｔ２の基材を通して集光され、ｔ１＜ｔ２である請求項９に記載の光ヘッド装置。
【請求項１１】
前記ホログラムの外周部分を通る前記第２光ビームの＋１次回折光は、基材厚がｔ２の基材を通ったときに収差をもち、集光されない請求項１０に記載の光ヘッド装置。
【請求項１２】
前記第一光ビームを基材厚がｔ１の基材を通して集光する場合に、
前記ホログラムの内周部分を通る第二光ビームを基材厚がｔ２の基材を通して集光する場合に比べて、前記ホログラムによる凸レンズ作用を大きくする、あるいは、
前記第一光ビームを基材厚がｔ１の基材を通して集光する場合よりも、前記ホログラムの内周部分を通る第二光ビームを基材厚がｔ２の基材を通して集光する場合の前記ホログラムによる凸レンズ作用を小さくすることにより、光ディスク側の焦点位置を複合対物レンズから離し、
ｔ１＜ｔ２である請求項１０に記載の光ヘッド装置。
【請求項１３】
前記第二光ビームを基材厚ｔ２の基材を通して光ディスクの記録面上へ集光する際には、前記第２光源から出射した前記第二光ビームを略平行光にするコリメートレンズを前記第２光源側に近づけて、やや拡散光にして前記対物レンズに入射させることにより、前記光ディスク側の焦点位置を複合対物レンズから離す請求項１０に記載の光ヘッド装置。
【請求項１４】
前記青色の光ビームの波長の５倍であって、前記第２光ビームの波長の３倍の光路長差を生じる段差が形成された位相段差をさらに具備する請求項１０に記載の光ヘッド装置。
【請求項１５】
前記ホログラムと前記対物レンズとを一体固定する請求項９に記載の光ヘッド装置。
【請求項１６】
前記ホログラムを前記対物レンズの表面に一体形成する請求項９に記載の光ヘッド装置。
【請求項１７】
光ヘッド装置と、
光ディスクを回転するモーターと、
前記光ヘッド装置から得られる信号を受け、前記信号に基づいて前記モーターと前記光ヘッド装置の対物レンズとレーザー光源とを制御および駆動する電気回路とを具備する光情報装置において、
前記光ヘッド装置が、請求項１又は２に記載の光ヘッド装置であることを特徴とする光情報装置。
【請求項１８】
前記光ヘッド装置が、請求項１３に記載の光ヘッド装置であり、
前記光ディスクの種類を判別して、基材厚が０．６ｍｍの光ディスクに対しては前記コリメートレンズを前記第２光源側に移動する請求項１７に記載の光情報装置。
【請求項１９】
光情報装置と、
情報を入力するための入力装置あるいは入力端子と、
前記入力装置から入力された情報または前記光情報装置から再生された情報に基づいて演算を行う演算装置と、
前記入力装置から入力された情報または前記光情報装置から再生された情報または、前記演算装置によって演算された結果を表示あるいは出力するための出力装置あるいは出力端子とを備えたコンピューターにおいて、
前記光情報装置が、請求項１７に記載の光情報装置であることを特徴とするコンピューター。
【請求項２０】
光情報装置と、
前記光情報装置から得られる情報信号を画像に変換する情報から画像へのデコーダーとを有する光ディスクプレーヤーにおいて、
前記光情報装置が、請求項１７に記載の光情報装置であることを特徴とする光ディスクプレーヤー。
【請求項２１】
光情報装置と、
前記光情報装置から得られる情報信号を画像に変換する情報から画像へのデコーダーとを有するカーナビゲーションシステムにおいて、
前記光情報装置が、請求項１７に記載の光情報装置であることを特徴とするカーナビゲーションシステム。
【請求項２２】
光情報装置と、
画像情報を前記光情報装置によって記録する情報に変換する画像から情報へのエンコーダーとを有する光ディスクレコーダーにおいて、
前記光情報装置が、請求項１７に記載の光情報装置であることを特徴とする光ディスクレコーダー。
【請求項２３】
光情報装置と、
外部との情報のやりとりを行う入出力端子とを備えた光ディスクサーバーにおいて、
前記光情報装置が、請求項１７に記載の光情報装置であることを特徴とする光ディスクサーバー。
【手続補正２】
【補正対象書類名】明細書
【補正対象項目名】００３２
【補正方法】変更
【補正の内容】
【００３２】
前記対物レンズは、ホログラムと屈折型レンズとからなる複合対物レンズであって、前記ホログラムは、少なくとも内周部に形成された鋸歯状断面形状を有する格子を備え、前記鋸歯状断面形状の深さｈ１は、３９０ｎｍ〜４１５ｎｍの範囲内にある波長λ１を有する第一光ビームに対して約２波長の光路差を与えて＋２次回折光を発生させる深さであり、６３０ｎｍ〜６８０ｎｍの範囲内にある波長λ２を有する第二光ビームに対して＋１次回折光を発生させる深さであることが好ましい。
前記リレーレンズは光軸から離れた外周部に球面収差を付加して構成し、前記球面収差によって、軸外収差を補正することが好ましい。
【手続補正３】
【補正対象書類名】明細書
【補正対象項目名】００３８
【補正方法】変更
【補正の内容】
【００３８】
前記第一光ビームを基材厚が０．１ｍｍ以下（ｔ１）の基材を通して集光する場合に、前記ホログラムによって凸レンズ作用を受けるように、前記ホログラムを凸レンズ型にすることによって、前記波長λ１が数ｎｍ程度変化した場合の焦点距離の変化を低減することが好ましい。
【手続補正４】
【補正対象書類名】明細書
【補正対象項目名】００３９
【補正方法】変更
【補正の内容】
【００３９】
前記第一光ビームの＋２次回折光は、基材厚がｔ１の基材を通して集光され、前記ホログラムの内周部分を通る前記第二光ビームの＋１次回折光は、基材厚がｔ２の基材を通して集光され、ｔ１＜ｔ２であることが好ましい。